(57)【要約】【課題】  自動販売機を容易且つ確実に固定することができる自動販売機の固定金具を提供する。【解決手段】  金具本体１０に、自動販売機のレベリングが係合するレベリング用開口部２０と、アンカーボルトが挿通されるアンカーボルト用開口部３０とが形成された固定金具１であって、レベリング用開口部２０およびアンカーボルト用開口部３０は、互いに連通しており、アンカーボルト用開口部３０は、金具本体１０に沿って延びて一端側が金具本体１０の周縁部に開放されている。金具本体１０は、周縁に沿ってリブ１２が設けられており、リブの両端１２ａ，１２ａがアンカーボルト用開口部３０に臨む構成であることが好ましい。【選択図】  図１
2014075062.tif 000002
【特許請求の範囲】
【請求項１】
金具本体に、自動販売機のレベリングが係合するレベリング用開口部と、アンカーボルトが挿通されるアンカーボルト用開口部とが形成された固定金具であって、
前記レベリング用開口部および前記アンカーボルト用開口部は、互いに連通しており、
前記アンカーボルト用開口部は、前記金具本体に沿って延びて一端側が前記金具本体の周縁部に開放されている自動販売機の固定金具。
【請求項２】
前記金具本体は、周縁に沿ってリブが設けられており、前記リブの両端が前記アンカーボルト用開口部に臨む請求項１に記載の自動販売機の固定金具。
【請求項３】
請求項１または２に記載の自動販売機の固定金具を用いて自動販売機を設置面に固定する方法であって、
自動販売機のレベリングを、前記アンカーボルト用開口部を介して前記レベリング用開口部に収容する収容ステップと、
前記アンカーボルト用開口部にアンカーボルトを挿通し、固定ナットを用いて前記金具本体を設置面に固定する固定ステップとを備える自動販売機の固定方法。
【請求項４】
前記固定ステップは、前記アンカーボルトが挿通される挿通孔が形成された矩形状の補強板を、前記アンカーボルト用開口部の両側縁部と係合するように  前記金具本体の上面に載置するステップと、
前記アンカーボルトを、前記アンカーボルト用開口部と共に、前記補強板の前記挿通孔に挿通するステップとを備える請求項３に記載の自動販売機の固定方法。
【発明の詳細な説明】
【技術分野】
【０００１】
本発明は、自動販売機の固定金具および固定方法に関する。
【背景技術】
【０００２】
従来の自動販売機の固定金具として、例えば、特許文献１に従来技術として記載されているようなＥ型固定金具が広く用いられている。図６（ａ）に示すように、この固定金具９０は、矩形状の金具本体９１に、自動販売機のレベリング（脚部）１０１が係合するレベリング用開口部９２と、アンカーボルト１０２が挿通されるアンカーボルト用開口部９３とが形成されており、レベリング用開口部９２は、金具本体９１の長手方向一端側に開放されている。自動販売機を固定するに際しては、金具本体９１の長手方向一端側からレベリング用開口部９２にレベリング１０１を収容した後、設置面に打設されたアンカーボルト１０２をアンカーボルト用開口部９３に挿通して、ワッシャ１０３を介して固定ナット１０４を締め付けることにより、レベリング用開口部９２の周縁部がレベリング１０１のさら部１０１ａに係合し、図６（ｂ）に示すように、レベリング１０１を固定金具９０で固定することができる。
【先行技術文献】
【特許文献】
【０００３】
【特許文献１】特開２００９−１４６２３４号公報
【発明の概要】
【発明が解決しようとする課題】
【０００４】
ところが、上記従来の固定金具９０は、自動販売機を固定した状態で大きな地震等によりレベリング１０１に強い引張力が生じると、レベリング１０１のさら部１０１ａがレベリング用開口部９２の周縁部を持ち上げることにより、金具本体９１の長手方向一端側が反り上がってレベリング用開口部９２が変形するおそれがあり、レベリング１０１がレベリング用開口部９２から外れ易くなるという問題があった。
【０００５】
そこで、本発明は、自動販売機を容易且つ確実に固定することができる自動販売機の固定金具および固定方法の提供を目的とする。
【課題を解決するための手段】
【０００６】
本発明の前記目的は、金具本体に、自動販売機のレベリングが係合するレベリング用開口部と、アンカーボルトが挿通されるアンカーボルト用開口部とが形成された固定金具であって、前記レベリング用開口部および前記アンカーボルト用開口部は、互いに連通しており、前記アンカーボルト用開口部は、前記金具本体に沿って延びて一端側が前記金具本体の周縁部に開放されている自動販売機の固定金具により達成される。
【０００７】
この自動販売機の固定金具において、前記金具本体は、周縁に沿ってリブが設けられており、前記リブの両端が前記アンカーボルト用開口部に臨むように構成されていることが好ましい。
【０００８】
また、本発明の前記目的は、上記の自動販売機の固定金具を用いて自動販売機を固定する方法であって、自動販売機のレベリングを、前記アンカーボルト用開口部を介して前記レベリング用開口部に収容する収容ステップと、前記アンカーボルト用開口部にアンカーボルトを挿通し、固定ナットを用いて前記金具本体を設置面に固定する固定ステップとを備える自動販売機の固定方法により達成される。
【０００９】
この自動販売機の固定金具において、前記固定ステップは、前記アンカーボルトが挿通される挿通孔が形成された矩形状の補強板を、前記アンカーボルト用開口部の両側縁部と係合するように  前記金具本体の上面に載置するステップと、前記アンカーボルトを、前記アンカーボルト用開口部と共に、前記補強板の前記挿通孔に挿通するステップとを備えることが好ましい。
【発明の効果】
【００１０】
本発明によれば、自動販売機を容易且つ確実に固定することができる自動販売機の固定金具および固定方法を提供することができる。
【図面の簡単な説明】
【００１１】
【図１】本発明の一実施形態に係る自動販売機の固定金具の平面図である。
【図２】図１に示す固定金具の矢示Ａ方向の側面図である。
【図３】図１のＢ−Ｂ断面図である。
【図４】図１のＣ−Ｃ断面図である。
【図５】図１に示す固定金具を用いた自動販売機の固定方法を説明するための断面図である。
【図６】従来の自動販売機の固定金具の斜視図である。
【発明を実施するための形態】
【００１２】
以下、本発明の実施の形態について、添付図面を参照して説明する。図１は、本発明の一実施形態に係る自動販売機の固定金具の平面図であり、図２は、この固定金具の矢示Ａ方向の側面図である。また、図３および図４は、それぞれ図１のＢ−Ｂ断面図およびＣ−Ｃ断面図である。図１から図４に示すように、固定金具１は、略矩形状に形成された平板状の金具本体１０に、自動販売機のレベリング（脚部）を収容するレベリング用開口部２０と、アンカーボルトが挿通されるアンカーボルト用開口部３０とが形成されている。
【００１３】
レベリング用開口部２０は、平面視で略円形であり、周縁部が後述するレベリングの下端に設けられたさら部と係合可能となるように、このさら部よりも径が若干小さくなるように形成されている。アンカーボルト用開口部３０は、レベリング用開口部２０と連通するように帯状に形成されており、金具本体１０に沿って長手方向に直線状に延びて、一端側が金具本体１０の周縁部に開放されている。アンカーボルト用開口部３０の幅は、レベリングおよびアンカーボルトが通過可能な大きさとされており、レベリングを、金具本体１０の周縁部からアンカーボルト用開口部３０を介してレベリング用開口部２０に収容することができる。
【００１４】
金具本体１０の周縁部には、略全周にわたって隆起状のリブ１２が形成されている。リブ１２の周方向の両端１２ａ，１２ａは、アンカーボルト用開口部３０の開放端近傍に臨んで、互いに対向している。このリブ１２は、金具本体１０を補強するように湾曲して形成されており、金具本体１０の上方に、後述する補強板の収容スペースを形成すると共に、金具本体１０の下方に、レベリングのさら部の収容スペースを形成する。
【００１５】
次に、上記の固定金具１を用いて自動販売機を設置面に固定する方法を、図５を参照しながら説明する。まず、図５（ａ）に示すように、自動販売機１００を設置面Ｆに載置し、レベリング１０１のさら部１０１ａの近傍にアンカーボルト１０２を打設した後、固定金具１を矢示の長手方向に沿って移動させて、アンカーボルト１０２およびレベリング１０１に係合させる。これにより、レベリング１０１が、アンカーボルト用開口部３０を介してレベリング用開口部２０に収容されると共に、アンカーボルト１０２がアンカーボルト用開口部３０に挿通される。アンカーボルト１０２は、固定金具１をレベリング１０１に係合させる前に設置面Ｆに打設しておくことが好ましいが、固定金具１をレベリング１０１に係合させた後、アンカーボルト用開口部３０を介してアンカーボルト１０２を設置面Ｆに打設することも可能である。
【００１６】
ついで、アンカーボルト１０２を補強板４０の挿通孔４２に挿通し、図５（ｂ）に示すように金具本体１０の上面に補強板４０を搭載した状態で、固定金具１のリブ１２の下端を設置面Ｆに当接させる。これにより、レベリング１０１のさら部１０１ａは、金具本体１０の下方スペースに収容される。
【００１７】
補強板４０は、図１に破線で示すように平面視矩形状に形成されており、アンカーボルト用開口部３０の両側縁部と係合するように、リブ１２に囲まれたスペースの幅と略同じ幅を有している。また、補強板４０の厚みは、補強板４０が金具本体１０の上面に載置された状態で、リブ１２の上端と略面一になる程度が好ましく、一例を挙げると、３〜５ｍｍ程度である。補強板４０の形状は、金具本体１０との接触面積の確保を容易にするため矩形状であることが好ましいが、特に限定されるものではなく、円形等の他の形状であってもよい。また、肉厚のワッシャや鍔付きナット等を補強板４０の代わりとすることもできる。
【００１８】
この後、アンカーボルト１０２に対してスプリングワッシャ等のワッシャ１０３を介して固定ナット１０４を締め付けることにより、固定金具１が補強板４０と一体化されて設置面Ｆに固定され、レベリング１０１のさら部１０１ａがレベリング用開口部２０の周縁部に係合して保持される。このような固定金具１によるレベリング１０１の固定を自動販売機１００の全てのレベリング１０１に対して行うことで、自動販売機１００を設置面Ｆに迅速容易に固定することができる。本実施形態の固定金具１の形状は左右対称であるため、すべてのレベリング１０１に対して同じ固定金具１を使用することができ、自動販売機１００の固定作業を容易且つ低コストで行うことができる。
【００１９】
本実施形態の固定金具１によれば、レベリング用開口部２０およびアンカーボルト用開口部３０が互いに連通しており、レベリング１０１を、アンカーボルト用開口部３０を介してレベリング用開口部２０に収容した後に、アンカーボルト用開口部３０にアンカーボルト１０２を挿通して固定することができる。したがって、レベリング用開口部２０から金具本体１０の周縁部に向けて開放する部分をアンカーボルト１０２により封止することができるので、この開放部分が地震等により変形してレベリング１０１がレベリング用開口部２０から外れるのを効果的に防止することができる。
【００２０】
また、金具本体１０に設けられたリブ１２が金具本体１０の略全周にわたって形成され、リブ１２の両端１２ａ，１２ａがアンカーボルト用開口部３０に臨んでいるため、レベリング用開口部２０の上記開放部分が補強されて変形を抑制することができ、これによってもレベリング１０１を確実に保持することができる。
【００２１】
また、アンカーボルト用開口部３０の両側縁部と係合する補強板４０を金具本体１０に搭載することにより、レベリング用開口部２０の上記開放部分が補強されて変形を抑制することができ、これによってもレベリング１０１を確実に保持することができる。補強板４０は、金具本体１０との係合状態の確保とアンカーボルト用開口部３０に対する挿通孔４２の位置合わせを容易にするため、幅方向両側にリブ１２と係合可能な湾曲部を備える構成であってもよい。
【００２２】
本実施形態の固定金具１および従来のＥ型固定金具のそれぞれについて、公的な試験機関においてレベリングの最大引張荷重を測定したところ、従来のＥ型金具を用いた場合には、最大荷重は９６７０Ｎであるのに対し、本実施形態の固定金具１に厚みが４ｍｍの補強板４０を用いた場合には、最大荷重は１２５２０Ｎであり、従来の固定金具に比べて大きな引張荷重に耐え得ることを確認した。
【符号の説明】
【００２３】
１  自動販売機の固定金具
１０  金具本体
１２  リブ
１２ａ  リブの端部
２０  レベリング用開口部
３０  アンカーボルト用開口部
４０  補強板
４２  挿通孔
１０１  自動販売機のレベリング
１０１ａ  さら部
１０２  アンカーボルト
【図１】
2014075062.tif 000003
【図２】
2014075062.tif 000004
【図３】
2014075062.tif 000005
【図４】
2014075062.tif 000006
【図５】
2014075062.tif 000007
【図６】
2014075062.tif 000008
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
自動販売機の固定金具を用いて自動販売機を設置面に固定する方法であって、
前記固定金具は、金具本体に、自動販売機のレベリングが係合するレベリング用開口部と、アンカーボルトが挿通されるアンカーボルト用開口部とが形成され、前記レベリング用開口部および前記アンカーボルト用開口部は、互いに連通しており、前記アンカーボルト用開口部は、前記金具本体に沿って延びて一端側が前記金具本体の周縁部に開放され、
自動販売機のレベリングを、前記アンカーボルト用開口部を介して前記レベリング用開口部に収容する収容ステップと、
前記アンカーボルト用開口部にアンカーボルトを挿通し、固定ナットを用いて前記金具本体を設置面に固定する固定ステップとを備え、
前記レベリング用開口部から前記金具本体の周縁部に向けて開放する部分を前記アンカーボルトにより封止する自動販売機の固定方法。
【請求項２】
前記金具本体は、周縁に沿ってリブが設けられており、前記リブの両端が前記アンカーボルト用開口部に臨む請求項１に記載の自動販売機の固定方法。
【請求項３】
前記固定ステップは、前記アンカーボルトが挿通される挿通孔が形成された矩形状の補強板を、前記アンカーボルト用開口部の両側縁部と係合するように  前記金具本体の上面に載置するステップと、
前記アンカーボルトを、前記アンカーボルト用開口部と共に、前記補強板の前記挿通孔に挿通するステップとを備える請求項１または２に記載の自動販売機の固定方法。
【手続補正３】
【補正対象書類名】明細書
【補正対象項目名】０００１
【補正方法】変更
【補正の内容】
【０００１】
本発明は、自動販売機の固定方法に関する。
【手続補正４】
【補正対象書類名】明細書
【補正対象項目名】０００５
【補正方法】変更
【補正の内容】
【０００５】
そこで、本発明は、自動販売機を容易且つ確実に固定することができる自動販売機の固定方法の提供を目的とする。
【手続補正５】
【補正対象書類名】明細書
【補正対象項目名】０００６
【補正方法】変更
【補正の内容】
【０００６】
本発明の前記目的は、自動販売機の固定金具を用いて自動販売機を設置面に固定する方法であって、前記固定金具は、金具本体に、自動販売機のレベリングが係合するレベリング用開口部と、アンカーボルトが挿通されるアンカーボルト用開口部とが形成され、前記レベリング用開口部および前記アンカーボルト用開口部は、互いに連通しており、前記アンカーボルト用開口部は、前記金具本体に沿って延びて一端側が前記金具本体の周縁部に開放され、自動販売機のレベリングを、前記アンカーボルト用開口部を介して前記レベリング用開口部に収容する収容ステップと、前記アンカーボルト用開口部にアンカーボルトを挿通し、固定ナットを用いて前記金具本体を設置面に固定する固定ステップとを備え、前記レベリング用開口部から前記金具本体の周縁部に向けて開放する部分を前記アンカーボルトにより封止する自動販売機の固定方法により達成される。
【手続補正６】
【補正対象書類名】明細書
【補正対象項目名】０００７
【補正方法】変更
【補正の内容】
【０００７】
この自動販売機の固定方法において、前記金具本体は、周縁に沿ってリブが設けられており、前記リブの両端が前記アンカーボルト用開口部に臨むように構成されていることが好ましい。
【手続補正７】
【補正対象書類名】明細書
【補正対象項目名】０００８
【補正方法】変更
【補正の内容】
【０００８】
また、前記固定ステップは、前記アンカーボルトが挿通される挿通孔が形成された矩形状の補強板を、前記アンカーボルト用開口部の両側縁部と係合するように  前記金具本体の上面に載置するステップと、前記アンカーボルトを、前記アンカーボルト用開口部と共に、前記補強板の前記挿通孔に挿通するステップとを備えることが好ましい。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明によれば、自動販売機を容易且つ確実に固定することができる自動販売機の固定方法を提供することができる。